(57)【要約】      （修正有）【課題】痰吸引器用圧力コントローラを提供する。【解決手段】痰吸引器用圧力コントローラは、弁座本体１０２、押圧要素１２８および調節弁１１４を含む。弁座本体１０２は、互いに相互接続された、収容空間１０８、気体入口チューブ１１０および気体出口チューブ１１２を有する。調節弁１１４は、収容空間１０８内に配置される。調節弁１１４の上端部および底端部は、ガス入口チューブとガス出口チューブとの間の連通を阻止しまたは可能にするために、押圧要素１２８ならびに弁座本体１０２の上部および底部それぞれに当接する。調節弁１１４はプラスチック復帰要素１２０を含む。プラスチック復帰要素１２０は、高さが低くなるように変形すると、調節弁１１４が移動するのを可能にし、かつ弾性を提供する。プラスチック復帰要素１２０が変形していないとき、調節弁１１４は、気体入口チューブ１１０と気体出口チューブ１１２との間の連通を阻止する。【選択図】図５
2018079305.tif 000002
【特許請求の範囲】
【請求項１】
痰吸引器用圧力コントローラであって、
互いに相互接続された、収容空間、気体入口チューブおよび気体出口チューブを有する弁座本体と、
押圧要素と、
前記弁座本体の前記収容空間内に配置された調節弁であって、前記調節弁の上端部および底端部が、前記気体入口チューブと前記気体出口チューブとの間の連通を阻止しまたは可能にするために、前記押圧要素ならびに前記弁座本体の上部および底部それぞれに当接し、
復帰要素であって、高さが低くなるように押圧されることにより変形するとき、前記高さが低くなることで前記調節弁が移動するのを可能にし、かつ回復のための弾性を提供し、プラスチック復帰要素である復帰要素と、
前記気体入口チューブと前記気体出口チューブとの間に挿入された弁ボルトと、
前記復帰要素の上方に配置された弁棒であって、前記弁ボルト内に差し込まれかつ前記弁座本体の前記収容空間を越えて延在し、前記押圧要素に当接する弁棒と、
を備える調節弁と、
を備え、
前記復帰要素が変形していないとき、前記弁ボルトが、前記気体入口チューブと前記収容空間との間の接合部、前記気体出口チューブと前記収容空間との間の接合部、および前記収容空間の側壁のうちの少なくとも１つを密閉して、前記気体入口チューブと前記気体出口チューブとの間の連通を阻止し、
前記押圧要素が押圧されると、前記弁棒が、前記復帰要素を変形させるように前記押圧された押圧要素によって移動し、前記弁ボルトが、対応してシフトして、前記弁ボルトに対する変形をもたらすことなく、前記気体入口チューブを前記気体出口チューブと連通させる、痰吸引器用圧力コントローラ。
【請求項２】
痰吸引器用圧力コントローラであって、
互いに相互接続された、収容空間を画定する内壁、気体入口チューブおよび気体出口チューブを有する弁座本体と、
押圧要素と、
前記弁座本体の前記収容空間内に配置された調節弁であって、前記調節弁の上端部および底端部が、前記押圧要素ならびに前記弁座本体の上部および底部それぞれに当接する、調節弁と、
を備え、
前記調節弁が、
復帰要素であって、前記押圧要素を押圧することによって変形して高さが低くなるとき、前記高さが低くなることで前記調節弁が移動するのを可能にし、かつ回復のための弾性を提供する復帰要素と、
円錐形状部分を備える弁ボルトであって、前記円錐形状部分が、前記復帰要素の上にあり、かつ、前記復帰要素から離れる方向に沿って徐々に低減する半径方向サイズを有し、前記気体入口チューブと前記気体出口チューブとの間の連通を阻止しまたは可能にするためのものである、弁ボルトと、
を備え、
前記弁座本体の前記内壁が、前記調節弁の前記円錐形状部分と一致する円錐形状を有し、前記復帰要素が変形していないとき、前記調節弁が、前記気体入口チューブと前記気体出口チューブとの間の前記連通を阻止し、前記復帰要素が変形すると、前記調節弁が対応してシフトして、前記気体入口チューブを前記気体出口チューブと連通させる、痰吸引器用圧力コントローラ。
【請求項３】
前記調節弁が、前記復帰要素の上方に配置された弁棒をさらに備え、前記弁棒が、前記円錐形状部分内に差し込まれかつ前記弁座本体の前記収容空間を越えて延在し、前記押圧要素に当接し、前記押圧要素が押圧されると、前記弁棒が、前記復帰要素を変形させるように前記押圧された押圧要素によって移動し、前記円錐形状部分が、対応してシフトして、前記円錐形状部分に対する変形をもたらすことなく、前記気体入口チューブを前記気体出口チューブと連通させる、請求項２に記載の痰吸引器用圧力コントローラ。
【請求項４】
前記復帰要素が、中空円錐形状を有し、底部が広く頂部が狭い、請求項１〜３のいずれか一項に記載の痰吸引器用圧力コントローラ。
【請求項５】
前記復帰要素がねじ切られた外面を有する、請求項１〜４のいずれか一項に記載の痰吸引器用圧力コントローラ。
【請求項６】
前記復帰要素が、内面と、前記内面に規則的な間隔で配置されたリブとを有し、前記リブが長手方向リブを含む、請求項１〜５のいずれか一項に記載の痰吸引器用圧力コントローラ。
【請求項７】
前記復帰要素が、前記気体入口チューブおよび前記気体出口チューブの下方で前記収容空間内に配置されている、請求項１〜６のいずれか一項に記載の痰吸引器用圧力コントローラ。
【請求項８】
前記弁ボルトの外面が、少なくとも１つの環状フランジを有し、前記弁ボルトおよび前記少なくとも１つの環状フランジが、射出成型により一部品に一体的に形成されている、請求項１〜７のいずれか一項に記載の痰吸引器用圧力コントローラ。
【請求項９】
前記復帰要素の前記底部から横方向に延在して前記弁座本体の前記底部と前記弁座本体の側壁との間の接合部を封止するシール要素をさらに備え、前記シール要素が、前記復帰要素の周縁部を包囲し、前記復帰要素、前記弁ボルトおよび前記シール要素が、一部品に一体的に形成されている、請求項１〜８のいずれか一項に記載の痰吸引器用圧力コントローラ。
【請求項１０】
前記復帰要素が外面および内面を有し、前記外面および前記内面が平坦であるかまたは凹凸がある、請求項１〜４および７〜９のいずれか一項に記載の痰吸引器用圧力コントローラ。
【発明の詳細な説明】
【技術分野】
【０００１】
本発明は、概して、痰吸引器用圧力コントローラに関し、より詳細には、構造材料が安定した特性を有する痰吸引器用圧力コントローラに関する。
【背景技術】
【０００２】
患者から痰を吸引するためには、通常、患者の気道に吸痰チューブが挿入され、圧力発生器によって陰圧が生成され、それが吸痰チューブ用の動力源として使用される。吸痰チューブと圧力発生器との間の連通を阻止するかまたは可能にするために、圧力発生器と吸痰チューブとの間に圧力コントローラが配置される。通常、痰吸引器用圧力コントローラは、使用者が気体減圧のオン／オフ状態を制御することができるようにする復帰要素として金属ばねを使用する。金属材料は、気体および／または液体と容易に反応する可能性があり、気体および／または液体は金属材料を通過するため、気体および／または液体は装置の要素と反応し、要素を劣化させ（たとえば、錆びさせるかまたは腐食させ）、装置の寿命に影響を与え、または使用者の感染の可能性を増大させる可能性がある。その上、金属材料は、隣接する電子機器に干渉して動作に影響を与える可能性がある。さらに、金属ばね復帰要素と圧力コントローラとの間の調節弁は、分離要素であり、複雑な組立作業を必要とする。
【先行技術文献】
【特許文献】
【０００３】
【特許文献１】台湾特許第ＴＷＭ４７７８９０号明細書
【発明の概要】
【発明が解決しようとする課題】
【０００４】
本発明は、従来技術において直面した問題を解決することができる痰吸引器用圧力コントローラに関する。
【課題を解決するための手段】
【０００５】
本発明の一実施形態によれば、弁座本体、押圧要素および調節弁を含む、痰吸引器用圧力コントローラが提供される。弁座本体は、互いに相互接続された、収容空間、気体入口チューブおよび気体出口チューブを有する。調節弁は、弁座本体の収容空間内に配置される。調節弁の上端部および底端部は、気体入口チューブと気体出口チューブとの間の連通を阻止しまたは可能にするために、押圧要素ならびに弁座本体の上部および底部それぞれに当接する。調節弁は、復帰要素、弁ボルトおよび弁棒を備える。復帰要素は、高さが低くなるように押圧されることにより変形するとき、高さが低くなることで調節弁が移動するのを可能にし、かつ回復のための弾性を提供する。復帰要素は、プラスチック復帰要素である。弁ボルトは、気体入口チューブと気体出口チューブとの間に挿入される。弁棒は、復帰要素の上方に配置される。弁棒は、弁ボルト内に差し込まれかつ弁座本体の収容空間を越えて延在し、押圧要素に当接する。復帰要素が変形していないとき、弁ボルトは、気体入口チューブと収容空間との間の接合部、気体出口チューブと収容空間との間の接合部、および収容空間の側壁のうちの少なくとも１つを密閉して、気体入口チューブと気体出口チューブとの間の連通を阻止する。押圧要素が押圧されると、弁棒は、復帰要素を変形させるように押圧された押圧要素によって移動し、弁ボルトは、対応してシフトして、弁ボルトに対する変形をもたらすことなく、気体入口チューブを気体出口チューブと連通させる。
【０００６】
本発明の一実施形態によれば、弁座本体、押圧要素および調節弁を含む、痰吸引器用圧力コントローラが提供される。弁座本体は、互いに相互接続された、収容空間を画定する内壁、気体入口チューブおよび気体出口チューブを有する。調節弁は、弁座本体の収容空間内に配置される。調節弁の上端部および底端部は、押圧要素ならびに弁座本体の上部および底部それぞれに当接する。調節弁は、復帰要素および円錐形状部分を備える。復帰要素は、押圧要素を押圧することによって変形して高さが低くなる。復帰要素は、高さが低くなることで調節弁が移動するのを可能にし、かつ回復のための弾性を提供する。円錐形状部分は、復帰要素の上にあり、かつ、復帰要素から離れる方向に沿って徐々に低減する半径方向サイズを有し、気体入口チューブと気体出口チューブとの間の連通を阻止しまたは可能にするためのものである。弁座本体の内壁は、調節弁の円錐形状部分と一致する円錐形状を有する。復帰要素が変形していないとき、調節弁は、気体入口チューブと気体出口チューブとの間の連通を阻止する。復帰要素が変形すると、調節弁が対応してシフトして、気体入口チューブを気体出口チューブと連通させる。
【０００７】
本発明の上記態様および他の態様は、好ましいが非限定的な実施形態の以下の詳細な説明に関してより理解されるであろう。以下の説明は、添付図面を参照する。
【図面の簡単な説明】
【０００８】
【図１】実施形態による痰吸引器用圧力コントローラの組立分解図である。
【図２】実施形態による弁座本体の断面図である。
【図３】実施形態による調節弁の断面図である。
【図４】実施形態による押圧されていない痰吸引器用圧力コントローラの外観図である。
【図５】実施形態による押圧されていない痰吸引器用圧力コントローラの断面図である。
【図６】実施形態による押圧されている痰吸引器用圧力コントローラの断面図である。
【図７Ａ】実施形態による調節弁の弁本体の３次元図である。
【図７Ｂ】図７Ａの弁本体の断面図である。
【図８Ａ】実施形態による調節弁の弁本体の３次元図である。
【図８Ｂ】図８Ａの弁本体の断面図である。
【図９】実施形態による調節弁の弁本体の３次元図である。
【図１０】実施形態による調節弁の弁本体の３次元図である。
【図１１】実施形態による調節弁の弁本体の３次元図である。
【発明を実施するための形態】
【０００９】
図１および図２を参照されたい。痰吸引器用圧力コントローラの弁座本体１０２は、シリンダ部１０４および基部１０６を含む。シリンダ部１０４は、互いに相互接続された、収容空間１０８、気体入口チューブ１１０および気体出口チューブ１１２を有する。シリンダ部１０４の下部外壁１０５の底部（図２）は、基部１０６の弁座壁１０９のくぼみ１１１と係合するフック１０７を有し、それにより、シリンダ部１０４および基部１０６が互いに接合される。
【００１０】
図１および図３を参照されたい。痰吸引器用圧力コントローラの調節弁１１４は、弁棒１１６および弁本体１１８を含む。弁本体１１８は、プラスチック復帰要素１２０、ならびに弁ボルト１２２およびシール要素１２４を含む。弁ボルト１２２およびシール要素１２４は、それぞれ、プラスチック復帰要素１２０の反対側に接続されている。シール要素１２４は、プラスチック復帰要素１２０の底部から横方向に延在し、プラスチック復帰要素１２０の周縁部を包囲している。弁ボルト１２２の上部の外面は、間隔によって分離されている環状フランジ１２６Ａおよび環状フランジ１２６Ｂを有する。弁棒１１６を弁ボルト１２２の上に差し込み、弁ボルト１２２から突出させることができる。
【００１１】
本実施形態では、プラスチック復帰要素１２０は、底部が広く頂部が狭い中空円錐形状を有し、平坦な内面１１７および平坦な外面１１９を有する。
【００１２】
実施形態では、弁本体１１８は、射出成形により一部品に一体的に形成されている。言い換えれば、プラスチック復帰要素１２０、弁ボルト１２２、シール要素１２４ならびに環状フランジ１２６Ａおよび１２６Ｂは、同じ材料から形成され、１つの単一部品を構成している。したがって、弁本体１１８の製造方法は単純かつ迅速であり、製造コストが削減される。このように、痰吸引器用圧力コントローラの要素の総数（図１に示すような実施形態では、痰吸引器用圧力コントローラは、押圧要素１２８、シリンダ部１０４、弁棒１１６、弁本体１１８および基部１０６を含む５つの要素から形成されるが、本開示はそれに限定されない）を低減させることができ、組立は簡便であり、製造コストは削減される。
【００１３】
たとえば、弁本体１１８は、気体との反応性が低いプラスチック等、非金属プラスチックから形成することができ、それにより、反応から生じる弁本体１１８の気体汚染または劣化の問題を回避することができ、気体減圧システムを安定化させることができ、製品の寿命を延長することができる。プラスチックは、たとえば、シリコン、熱硬化性ゴム、または、熱可塑性ゴム（ＴＰＲ）、もしくは熱可塑性ポリウレタン（ＴＰＵ）、熱可塑性ポリオレフィン（ＴＰＯ）、熱可塑性加硫物（ＴＰＶ）等、熱可塑性エラストマー（ＴＰＥ）等の他のタイプのゴムを含む、安定した特性を有する非導電性材料を含むことができる。
【００１４】
図４および図５を参照されたい。調節弁１１４は、弁座本体１０２の収容空間１０８内に配置され、弁棒１１６は、収容空間１０８を越えて延在し、弁座本体１０２の上部内壁１２７および上部外壁１２９から突出する。調節弁１１４の上端部および底端部に配置された弁棒１１６およびシール要素１２４は、それぞれ、押圧要素１２８と弁座本体１０２の基部１０６の内面とに当接する。シール要素１２４は、シリンダ部１０４の下部内壁１１３の内面と基部１０６の底部の内面との間に挿入されて、シリンダ部１０４および基部１０６を封止する。押圧要素１２８が使用者によって押圧されていないとき、調節弁１１４の弁ボルト１２２は、気体入口チューブ１１０と収容空間１０８との間の接合部、気体出口チューブ１１２と収容空間１０８との間の接合部、および収容空間１０８の側壁のうちの少なくとも１つを密閉（または、収容空間１０８のシリンダ部１０４の内部側壁を画定）して、気体入口チューブ１１０と気体出口チューブ１１２との間の連通を阻止し、それにより、気体は、気体入口チューブ１１０と気体出口チューブ１１２との間に流れることができず、気体減圧が一時停止される。間隔によって分離された環状フランジ１２６Ａおよび１２６Ｂは、気体入口チューブ１１０および気体出口チューブ１１２の上方で弁ボルト１２２の外面に配置されている。環状フランジ１２６Ａおよび１２６Ｂは、シリンダ部１０４の上部内壁１２７の内面と接触して、弁本体１１８の移動中にシリンダ部１０４の気密効果を向上させる。
【００１５】
図６を参照されたい。押圧要素１２８が使用者によって押圧されると、気体入口チューブ１１０および気体出口チューブ１１２の下方の収容空間１０８内に配置されたプラスチック復帰要素１２０は、高さが低くなるように変形し、高さが低くなることで調節弁１１４が下方に移動するのを可能にする。調節弁１１４が下方に移動した後、弁ボルト１２２は、気体入口チューブ１１０と収容空間１０８との間の接合部、気体出口チューブ１１２と収容空間１０８との間の接合部、および収容空間１０８の側壁のいずれも密閉せず、それにより、気体入口チューブ１１０および気体出口チューブ１１２は相互接続され、気体は気体入口チューブ１１０と気体出口チューブ１１２との間を流れ、気体を減圧することができる。その間、環状フランジ１２６Ａおよび１２６Ｂが配置されている弁ボルト１２２の上部は、依然として上部内壁１２７と接触し、シール要素１２４は、シリンダ部１０４と基部１０６との間の接合部を依然として隙間なく封止し、それにより、気体は、気体入口チューブ１１０と気体出口チューブ１１２との間を流れることができ、痰吸引器用圧力コントローラから漏れ出ない。
【００１６】
使用者が押圧要素１２８を解放すると、プラスチック復帰要素１２０は、調節弁１１４を図５に示すような状態まで上方に復帰させる弾性を提供する。
【００１７】
他の実施形態では、調節弁は、実際の必要に従って他の形状を有するように設計することができる。
【００１８】
図７Ａおよび図７Ｂは、それぞれ、実施形態による調節弁で使用される弁本体２１８の３次元図および断面図である。本実施形態の弁本体２１８は、プラスチック復帰要素２２０が凹凸のある内面２１７および凹凸のある外面２１９を有するという点で、弁本体１１８とは異なり、そこでは、外面２１９の突起は内面２１７のくぼみに対応し、外面２１９のくぼみは内面２１７の突起に対応する。
【００１９】
図８Ａおよび図８Ｂは、それぞれ、実施形態による弁本体３１８の３次元図および断面図である。本実施形態の弁本体３１８は、プラスチック復帰要素３２０において、外面３１９の突起が内面３１７の突起に対応し、外面３１９のくぼみが内面３１７のくぼみに対応するという点で、図７Ａおよび図７Ｂの弁本体２１８とは異なる。
【００２０】
図９は、実施形態による弁本体４１８の３次元図である。本実施形態の弁本体４１８は、外面１１９から突出し規則的な間隔で配置された複数の長手方向リブ４２３をさらに含むという点で、弁本体１１８とは異なる。リブ４２３は、プラスチック復帰要素４２０が押圧されかつ変形したときに発生する弾性を強化することができる。
【００２１】
図１０は、実施形態による弁本体５１８の３次元図であり、そこでは、プラスチック復帰要素５２０は透視図法で示されている。本実施形態の弁本体５１８は、内面１１７から突出しかつ規則的な間隔で配置されている複数の長手方向リブ５２３をさらに含むという点で、弁本体１１８とは異なる。リブ５２３は、プラスチック復帰要素５２０が押圧されかつ変形するときに発生する弾性を強化することができる。
【００２２】
図１１は、実施形態による弁本体６１８の３次元図である。本実施形態の弁本体６１８は、プラスチック復帰要素６２０がねじ切られた外面６１９を有するという点で弁本体１１８とは異なる。
【００２３】
上に開示した実施形態によれば、痰吸引器用圧力コントローラは、プラスチック復帰要素を使用し、安定した特性および長い寿命を有し、気体または隣接する電子機器との干渉を回避し、したがって、使用に関して高い安全性を有する。さらに、調節弁のプラスチック復帰要素および他の要素は、一部品に一体的に形成することができ、それにより、痰吸引器用圧力コントローラの要素の総数を低減させることができ、製造方法は簡単かつ迅速であり、製造コストが削減される。
【００２４】
本発明について例を用いてかつ好ましい実施形態に関して記載したが、本開示はそれに限定されないことが理解されるべきである。逆に、さまざまな変更形態ならびに同様の構成および手順を包含するように意図されており、したがって、添付の特許請求の範囲の範囲は、こうした変更形態ならびに同様の構成および手順のすべてを包含するように最も広い解釈が与えられるべきである。
【符号の説明】
【００２５】
１０２  弁座本体
１０４  シリンダ部
１０５  下部外壁
１０６  基部
１０７  フック
１０８  収容空間
１０９  弁座壁
１１０  気体入口チューブ
１１１  くぼみ
１１２  気体出口チューブ
１１３  下部内壁
１１４  調節弁
１１６  弁棒
１１７  内面
１１８  弁本体
１１９  外面
１２０  プラスチック復帰要素
１２２  弁ボルト
１２４  シール要素
１２６Ａ  環状フランジ
１２６Ｂ  環状フランジ
１２７  上部内壁
１２８  押圧要素
１２９  上部外壁
２１７  内面
２１８  弁本体
２１９  外面
２２０  プラスチック復帰要素
３１７  内面
３１８  弁本体
３１９  外面
３２０  プラスチック復帰要素
４１８  弁本体
４２０  プラスチック復帰要素
４２３  リブ
５１８  弁本体
５２０  プラスチック復帰要素
５２３  リブ
６１８  弁本体
６１９  外面
６２０  プラスチック復帰要素
【図１】
2018079305.tif 000003
【図２】
2018079305.tif 000004
【図３】
2018079305.tif 000005
【図４】
2018079305.tif 000006
【図５】
2018079305.tif 000007
【図６】
2018079305.tif 000008
【図７Ａ】
2018079305.tif 000009
【図７Ｂ】
2018079305.tif 000010
【図８Ａ】
2018079305.tif 000011
【図８Ｂ】
2018079305.tif 000012
【図９】
2018079305.tif 000013
【図１０】
2018079305.tif 000014
【図１１】
2018079305.tif 000015
【外国語明細書】
2018079305000001.pdf
2018079305000002.pdf
2018079305000003.pdf
2018079305000004.pdf